(57)【特許請求の範囲】
【請求項１】
表示装置と、該表示装置の下方で該表示装置の前方に引き出し可能に設置されたスキャナ装置を備え、
前記スキャナ装置は、原稿の画像を読み取る画像読取装置を備えた下部ユニットと、該画像読取装置に原稿を搬送する上部ユニットとを有し、
該上部ユニットは、前記下部ユニットの上面との間を開閉可能に取り付けられ、
前記画像読取装置で画像を読み取るためのシート状の原稿を該上部ユニットの前面側から供給可能であって、
前記画像読取装置は、シート状の原稿の画像を読み取る場合には、前記前面側から供給された原稿の画像を読み取り、
ブック原稿の画像を読み取る場合には、前記スキャナ装置が引き出され、前記上部ユニットが開かれた状態で前記下部ユニットの上に置かれたブック原稿の画像を読み取る表示システムにおいて、
前記上部ユニットは、前記下部ユニットに対して回動可能に接続され、
前記表示装置に情報を書き込むためのタッチペンを保持するタッチペンホルダが取り付けられた側を開いて前記上部ユニットを回動させることにより、前記上部ユニットが開かれた状態となることを特徴とする表示システム。
【請求項２】
請求項１に記載の表示システムにおいて、
前記スキャナ装置は、前記上部ユニットの前面側に、前記シート状の原稿を挿入するための挿入口を有し、該挿入口に挿入された原稿を前記画像読取装置に供給することを特徴とする表示システム。
【請求項３】
請求項１に記載の表示システムにおいて、
前記スキャナ装置は、前記上部ユニットの前面側に、前記シート状の原稿を排出する排出口を有し、前記画像読取装置により画像を読み取った原稿を前記排出口から外部に排出することを特徴とする表示システム。
【請求項４】
請求項１に記載の表示システムにおいて、
前記ペンホルダが取り付けられた側は、前記表示装置に対する操作入力を可能とする操作入力部が配置された側であることを特徴とする表示システム。
【請求項５】
請求項１ないし４のいずれか１に記載の表示システムにおいて、
前記スキャナ装置は、ブック原稿を読み取る処理と、原稿のジャム時の利用者による復帰処理とを同じ引き出し位置で実行可能としたことを特徴とする表示装置。
【発明の詳細な説明】
【技術分野】
【０００１】
本発明は、表示システム、より詳細には、大型の表示装置とその下方に設置されたスキャナ装置とを備えた表示システムに関する。
【背景技術】
【０００２】
従来、会議等に使用されるホワイトボードには、マジックなどの筆記手段により書き込まれた情報を光学的に走査して、これにより得られた情報を感熱紙に印刷する印刷手段が備えられている。このようなホワイトボードを用いて会議が行われた場合には、ホワイトボード上に書き込まれた議事内容（イメージ情報）を会議終了後に感熱紙に印刷し、さらに会議参加者にそのコピーを配布する作業等が行われる。
また、従来のホワイトボードを利用した会議においては、会議終了後に、印刷された議事内容をワードプロセッサなどを用いて新たに電子化する作業が必要となる場合がある。
【０００３】
これに対して、例えばタッチペンのような入力手段を用いて大型表示装置上に自由な書式で議事内容を書き込むことを可能とし、書き込まれた議事内容を全て電子化することにより、会議終了後の文書管理、参加者への配布、そして内容の加工などを簡単に実行できるようにした電子会議システムが提案されている。
また、会議を行なっているときに、追加の原稿を電子化して表示装置に取り込んで表示装置に表示できるようにするために、表示装置にネットワークを介してスキャナ装置を接続するシステムも提案されている。
【０００４】
このような電子会議にも適用可能な大型の表示装置を備えた表示システムでは、システム全体が大型化するため、設置スペースを有効に使用できるように小型化が要求される。またこのときに、利用者の使い勝手を悪化させることがないように操作性を考慮しなくてはならない。
【０００５】
特許文献１には、台座内に収納可能な転倒防止脚を設けることにより、表示装置を壁面から離した状態で設置するときには、台座から転倒防止脚を突出させて表示装置の転倒防止を図るとともに、転倒防止脚を台座内に収納することによって、表示装置を壁面に近接して設置する構成が開示されている。
また特許文献２には、限られたスペース内で安定した消音ができる機構を、低コストで実現することを意図した原稿搬送装置が開示されている。さらに特許文献３には、安価で小型化を意図した給紙装置が開示されている。
【特許文献１】特開平１０−３３３５９４号公報
【特許文献２】特開２０００−２９２５２号公報
【特許文献３】特開平６−９０６４号公報
【発明の開示】
【発明が解決しようとする課題】
【０００６】
上記のような電子会議にも適用可能な大型の表示装置を備えた表示システムでは、表示装置にスキャナ装置を接続することにより、表示装置に表示させる原稿などの読み取りをその場で行うことができ利便性が向上するが、常にスキャナ装置を必要とするものではなく、表示装置に接続されたスキャナ装置が逆に邪魔になっては問題となる。
この場合、表示装置の下方にスキャナ装置を配置する構成が考えられるが、表示装置の下方にスキャナ装置を設けるうえで、スキャナ装置の更なるコンパクト化を図る必要が生じる。またこのときにスキャナ装置や表示システム全体の使い勝手を悪化させることなく、操作性が良くかつコンパクトな構成の表示システムを提供する必要がある。また特許文献１〜３は、このような大型表示装置とスキャナ装置とを備えた表示システムにおけるコンパクトで操作性を向上させた構成を考慮したものではない。
【０００７】
本発明は、上述のごとき実情に鑑みてなされたもので、電子会議等にも適用可能な大型の表示装置とスキャナ装置とを備えた表示システムにおいて、操作性を損なうことなくコンパクトな構成を備えた表示システムを提供することを目的とする。
【課題を解決するための手段】
【０００８】
上記課題を解決するために、本発明の第１の技術手段は、表示装置と、該表示装置の下方で該表示装置の前方に引き出し可能に設置されたスキャナ装置を備え、前記スキャナ装置は、原稿の画像を読み取る画像読取装置を備えた下部ユニットと、該画像読取装置に原稿を搬送する上部ユニットとを有し、該上部ユニットは、前記下部ユニットの上面との間を開閉可能に取り付けられ、前記画像読取装置で画像を読み取るためのシート状の原稿を該上部ユニットの前面側から供給可能であって、前記画像読取装置は、シート状の原稿の画像を読み取る場合には、前記前面側から供給された原稿の画像を読み取り、ブック原稿の画像を読み取る場合には、前記スキャナ装置が引き出され、前記上部ユニットが開かれた状態で前記下部ユニットの上に置かれたブック原稿の画像を読み取る表示システムにおいて、前記上部ユニットは、前記下部ユニットに対して回動可能に接続され、前記表示装置に情報を書き込むためのタッチペンを保持するタッチペンホルダが取り付けられた側を開いて前記上部ユニットを回動させることにより、前記上部ユニットが開かれた状態となることを特徴としたものである。
【０００９】
第２の技術手段は、第１の技術手段において、スキャナ装置が、上部ユニットの前面側に、シート状の原稿を挿入するための挿入口を有し、挿入口に挿入された原稿を画像読取装置に供給することを特徴としたものである。
【００１０】
第３の技術手段は、第１の技術手段において、スキャナ装置が、上部ユニットの前面側に、シート状の原稿を排出する排出口を有し、画像読取装置により画像を読み取った原稿を排出口から外部に排出することを特徴としたものである。
【００１１】
第４の技術手段は、第１の技術手段において、前記ペンホルダが取り付けられた側は、前記表示装置に対する操作入力を可能とする操作入力部が配置された側であることを特徴としたものである。
【００１３】
第５の技術手段は、第１ないし４のいずれかの技術手段において、スキャナ装置が、ブック原稿を読み取る処理と、原稿のジャム時の利用者による復帰処理とを同じ引き出し位置で実行可能としたことを特徴としたものである。
【発明の効果】
【００１４】
本発明によれば、電子会議にも適用可能な大型の表示装置とスキャナ装置とを備えた表示システムにおいて、操作性を損なうことなくコンパクトな構成を備えた表示システムを提供することができる。
【発明を実施するための最良の形態】
【００１５】
図１は、本発明による表示システムの構成例を示す図で、スキャナ装置を設置可能な載置台を備えた台座（スタンド）と、その台座に支持された表示装置とを示す図である。図１に示すように、本例の表示システムは、台座２０の上に大型の表示装置１０が取り付けられた構成を備えている。また台座２０の載置台２３には、図示しないプリンタなどの電子機器を置くことができるようになっている。
【００１６】
表示装置１０を支持する台座２０は、左右一対の脚部２１と、基台２２と、転倒防止脚２４とを備えている。転倒防止脚２４は、基台２２に対して前後にスライド可能に設置されていて、その上面側に上記載置台２３が形成されている。また基台２２及び転倒防止脚２４の底部にはキャスター（移動用車輪）２８が設けられ、表示システム全体を移動可能にしている。
【００１７】
また各脚部２１の内側には、それぞれレール２１ａが設けられ、図示しないスキャナ装置のスライド部材を係合させることで、スキャナ装置を引き出し自在に取り付けることができる。これによりスキャナ装置は、台座２０の一対の脚部２１の間に収納された状態と、表示装置１０の前面側に引き出された状態と間を自在に移動することができる。
【００１８】
図２は、台座に備えられた転倒防止脚の機能を説明するための図である。転倒防止脚２４は、上記のように基台２２に対して前後にスライド可能に取り付けられている。
ここでは基台２２と転倒防止脚２４とを相互に固定しておくために、固定用留め板２５が使用されている。この固定用留め板２５の左右には、固定ピン２６を挿通するための貫通孔が設けられている。一方、転倒防止脚２４と基台２２には、それぞれ固定ピン２６を差し込むための固定用穴２７が設けられていて、固定用留め板２５の貫通孔を通してそれぞれの固定用穴２７に固定ピン２６を差し込むことにより、転倒防止脚２４と基台２２とが固定用留め板２５を介して相互に固定される。転倒防止脚２４側の固定用穴２７は、転倒防止脚２４を固定する位置に応じて予め複数設けられている。
【００１９】
そして転倒防止脚２４が基台２２の間に収容された状態（図２（Ａ）から、転倒防止脚２４を前方側に方側に引き出した状態（図２（Ｂ））とすることにより、表示システムの転倒防止機能を向上させることができる。
ここでは、図２（Ａ）の状態で転倒防止脚２４側の固定ピン２６を固定用穴２７から引き抜き、転倒防止脚２４を前に引き出して図２（Ｂ）の状態とし、この位置で固定ピン２６を転倒防止脚２４のもう一方の固定用穴２７に差し込むことで転倒防止脚２４と基台２２とを相互に固定することができる。
転倒防止脚２４を前面側に引き出す場合、利用者は、転倒防止脚２４に設けられている解除レバー２４ａに手を掛けて引っ張ることにより転倒防止脚２４を引き出すことができる。なお転倒防止脚２４と基台２２とを相互に固定する構成は、上記固定ピン２６を用いた構成のみならず、適宜任意の固定構造を採用することができる。
【００２０】
図３は、本発明に係る表示システムの使用形態の一例を説明するための図である。
表示システムは、上記のように台座２０と、その台座２０の上に取り付けられた大型の表示装置１０とを備えている。そして台座２０の転倒防止脚２４の上面側に形成された載置台２３上には、プリンタ３０などの電子機器を置くことができる。また一対の脚部２１の内側にそれぞれ設けられたレール２１ａには、スキャナ装置５０が前面側に引き出し自在に取り付けられる。またこの他、表示装置１０の裏側などに図示しないパソコンなどの情報処理装置を配置し、スキャナ装置５０から取り込んだ画像データを表示装置１０に表示させる制御や、表示装置１０に書き込まれた情報をプリンタ３０で印刷出力させる制御を行うようにすることができる。
【００２１】
上記のような台座２０にスキャナ装置５０やプリンタ３０などの電子機器を収納することにより、常時使用するわけではないプリンタ３０やスキャナ装置５０を表示装置の下側に収納してくことができる。そしてこのような構成により、例えば図３に示すように表示装置１０の前でプレゼンテーションや会議進行などを行う利用者Ｕは、これらの電子機器が邪魔にならずに表示システムを利用することができる。
【００２２】
また表示装置１０には、初期画面表示設定等に利用される操作入力部１３と、表示装置１０に任意の書き込みを行うタッチペンを入れておくタッチペンホルダ１４と、表示装置１０の電源スイッチ１５とが設けられている。本例ではこれらは、利用者の操作性を考慮して、表示装置１０の表示画面に向かってその右端の下方に設けられているが、その位置は限定されるものではない。
【００２３】
図４は、本発明による表示システムが備えるスキャナ装置の構成例を説明するための図で、側面からみたスキャナ装置の筐体内部の構成を模式的に示すものである。
スキャナ装置５０は、積載された原稿束から順次原稿を搬送する自動原稿送り装置を備えた上部ユニット５１と、ＣＣＤ(Charge Coupled Device）イメージセンサを備えた画像読取装置を備えた下部ユニット５２とによって構成されている。
【００２４】
上部ユニット５１は、複数枚の原稿からなる原稿束を積載する給紙トレイ６１と、原稿のサイズを検知する機能を備えたサイズガイドラック機構６２と、給紙トレイ６１上のシート原稿を１枚ずつ取り出す給紙ローラ７１と、取り出された原稿を下流側まで搬送するための複数のフィードロール７２と、原稿をプラテンガラス（第２プラテンガラス８５）に圧接する圧接ローラ７３と、ＣＣＤイメージセンサによる読み取りが終了した原稿を排紙するための排紙ローラ７４と、排紙された原稿を積載する排紙トレイ７５とを備えている。
【００２５】
また上部ユニット５１の前面側（図４の左側）には、前面扉５３が設けられ、回動軸５７によって矢印Ａ方向に回動可能となっている。これにより、スキャナ装置５０の装置内部を前面側に開放することができ、給紙トレイ６１に対する原稿の供給操作や、排紙トレイ７５に排紙された原稿の取り出し操作などを前面側から行うことができるようになっている。また前面扉５３は、前面側に開かれた状態で大型原稿用の排紙トレイとしても機能するようになっている。
さらに本実施形態では、前面扉５３には、原稿を挿入して原稿送り装置に給紙するための挿入口と、読み取られた原稿を排出するための排出口（いずれも図示せず）を備えている。これらの構成は後述する。
【００２６】
スキャナ装置５０では、上記の上部ユニット５１の原稿送り装置を下部ユニット５２の装置フレームによって支え、原稿送り装置によって搬送された原稿の画像を下部ユニット５２の画像読取装置で読み取るようにしている。
【００２７】
下部ユニット５２は、原稿の画像表面を露光する露光ランプ８１ａおよび原稿からの反射光像を所定の方向に向かって変更するミラー８１ｂを有する走査ユニット８１と、走査ユニット８１のミラー８１ｂから得られた光学像を光学的に縮小する結像用レンズ８２と、結像用レンズ８２によって結像された光学像を順次光電変換し、電気信号として出力するＣＣＤイメージセンサ８３とを備えている。
【００２８】
さらに下部ユニット５２の装置フレームには、画像を読み込むべき原稿を静止させた状態で載置するための第１プラテンガラス８４と、上部ユニット５１の原稿送り装置によって搬送されてきた原稿を読み取るための光の開口部を形成する第２プラテンガラス８５とが備えられている。また下部ユニット５２には、走査ユニット８１を第２プラテンガラス８５の下に静止させ、もしくは走査ユニット８１を第１プラテンガラス８４の全体に亘ってスキャンさせて画像を読み込むための図示しない移動機構が備えられている。そしてＣＣＤイメージセンサ８３によって得られた画像信号は図示しない信号処理回路に送られる。
【００２９】
サイズガイドラック機構６２は、給紙トレイ６１の上方に設けられている。ここでは装置上面部の凹部６８に操作部材６９が設置されている。この操作部材６９は、上記凹部６８を形成するフレームの上壁に設けられたスロットガイド６３を貫通し、サイズガイド６４に連結されている。このような構成により、コンパクトな構成で、サイズガイド６４を装置の外側から操作できるようになっている。
【００３０】
図５は、給紙トレイの上に積載された原稿のサイズを検知するためのサイドガイドラック機構の構造を説明するための図で、サイドガイドラック機構を用紙トレイ６１側（図４の矢印Ｂ）から見た構造を模式的に示したものである。ここでは図５の左右方向が、図４の紙面に垂直な方向に一致している。
サイドガイドラック機構６２は、サイズガイド６４を原稿のサイズ合わせて左右に移動（スライド）させる際に、内部のラック６５の位置を検出することで、原稿のサイズを検出することが可能となっている。
【００３１】
左右のサイズガイド６４は、スロットガイド６３によりそれぞれ個別に横方向に移動可能になっている。これらサイズガイド６４は、装置の外側から取り付けられた操作部材６９（図４参照）によりスライド操作が可能となっている。
各サイズガイド６４には、ピニオン６６に係合するラック６５がそれぞれ取り付けられ、さらに各ラック６５のそれぞれの先端部にはセンサ６７が配置されている。これにより、サイズガイド６４を原稿のサイズ合わせて左右にスライドさせる際に、センサ６７がラック６５の位置を検出することで原稿のサイズを検出することができる。
【００３２】
図６は、図４に示すスキャナ装置の給紙トレイを引き出した状態を示す図である。給紙トレイ６１は、その内部に補助トレイ６１ａ，６１ｂを備えていて、これらの補助トレイ６１ａ，６１ｂを引き出すことができるようになっている。またスキャナ装置５０の前面側に設けられた前面扉５３は、スキャナ装置５０の使用時に回動させて前方に開くことにより、排紙トレイとして使用することができる。
【００３３】
このような構成により、原稿が装置内に収まらないサイズの場合は、前面扉５３を開放し、給紙トレイ６１から補助トレイ６１ａ，６１ｂを引き出すことにより、大きなサイズの原稿に対応できるようになっている。ここでは引き出した補助トレイ６１ａ，６１ｂを使用して大きなサイズの原稿を給紙し、前面扉５３によって面積が拡張された排紙トレイ７５によって、大きなサイズの原稿を積載できるようになっている。
【００３４】
図７は、上記図４〜図６に示すスキャナ装置を前面から見た構成を模式的に示す図で、図７（Ａ）は上部ユニットが閉められたスキャナ装置を示す図で、図７（Ｂ）は上部ユニットが開かれたスキャナ装置を示す図である。
上記のようにスキャナ装置５０は、自動原稿送り装置を備えた上部ユニット５１と、画像読取装置を備えた下部ユニット５２とからなっている。そしてこれら上部ユニット５１と下部ユニット５２は、回動軸５７によって互いに回動可能に接続されている。これにより、上部ユニット５１は、下部ユニット５２の上面との間を開閉可能となっている。つまり図７（Ｂ）のように上部ユニット５１を開くことにより、第２ユニット５２の上面に設けられているプラテンガラス（第１プラテンガラス８４，第２プラテンガラス８５）を露出させてブック原稿の読み取りが可能となる。また図７（Ａ）のように上部ユニット５１が閉められた状態では、上部ユニット５１の自動原稿送り装置によってシート状の原稿を搬送し、下部ユニット５２の画像読取装置により原稿画像を読み取らせることができる。
【００３５】
上部ユニット５１の前面扉５３には、原稿を挿入するための挿入口５５と、原稿を排出するための排出口５６が設けられている。挿入口５５に対してシート状の原稿を挿入することにより、図６に示す給紙トレイ６１上に原稿を置くことができるようになっている。また、排出口５６からは、図６の排紙ローラ７４から排紙された原稿を外部に排出できるようになっている。この場合には、前面扉５３を閉めた状態のままで、原稿の給紙と排出とを行うことができる。
【００３６】
また前面扉５３を開けることにより、給紙トレイ６１に対して直接原稿を置くことができ、また排紙ローラ７４から排出された原稿を取り除くことができる。ここでは上記のように原稿サイズが大きい場合などでは、前面扉５３を開けて補助トレイ６１ａ，６１ｂを引き出すことにより、原稿を安定して給紙・排出させることができる。
【００３７】
このようなスキャナ装置５０の前面側に、原稿を挿入する挿入口５５と読み取った原稿を排出する排出口５６とを備えた構成により、シート状の原稿を読み取らせる場合には、利用者は、スキャナ装置の前面側から操作することによって原稿の給紙と排出とを行うことができる。そしてこのような構成により、スキャナ装置５０を台座２０の脚部２１の間に収納した状態のままで、シート状の原稿の読み取りと排出とを実行させることができる。
【００３８】
一方、ブック原稿を読み取らせる場合には、上部ユニット５１を開けて下部ユニット５２の上面のプラテンガラスを露出させる必要がある。この場合には、スキャナ装置５０を台座２０からその前面側に引き出して、上部ユニット５１を開ける動作に支障が生じないようにした状態で、上部ユニット５１を回動させて開くようにする。そして下部ユニットの第１プラテンガラス８４の上にブック原稿を載せて画像読取装置を動作させることにより、ブック原稿を読み取らせる。
【００３９】
またスキャナ装置５０の内部で、給紙した原稿が詰まるジャムが生じた場合には、上部ユニット５１を開いてジャムを起こした原稿を取り除く必要が生じる。この場合にも、スキャナ装置５０を台座２０からその前方に引き出した状態で、上部ユニット５１を開き、搬送路の一部を開放してジャムを起こした原稿Ｐを取り除く。つまり、スキャナ装置５０は、ブック原稿を読み取る処理と、利用者による原稿のジャム時の復帰処理とを同じ引き出し位置で行うことができる。
このように、シート状原稿のときはスキャナ装置５０を台座２０の脚部２１の間に収納しておくことで、表示システムの前面側の空間を有効に利用することができる。またブック原稿の読み取り時や原稿のジャム時の復帰処理時には、スキャナ装置５０を前面側に引き出すことで、容易にこれらの処理を実行できるようになる。
【００４０】
図８は、表示システムを上からみたときの構成を模式的に示す図で、図８（Ａ）はスキャナ装置を前方に引き出した状態を示す図、図８（Ｂ）は引き出したスキャナ装置の上部ユニットを開いて下部ユニットの上面を露出させた状態を示す図である。
上述したように、スキャナ装置５０を表示装置１０の前方に引き出した状態で、スキャナ装置５０の上部ユニット５１を開くことにより、ブック原稿の読み取り処理や、原稿のジャム時の復帰処理を行うことができる。
【００４１】
この場合、上部ユニット５１を開くときに、利用者Ｕに邪魔にならないように、利用者とは反対側に上部ユニットが開くことが好適である。例えば図８（Ｂ）に示すように、スキャナ装置５０の上部ユニット５１は、利用者Ｕが立つ右側（表示装置の表画面に向かって右側）とは反対側の左側に開くようにする。つまり下部ユニット５２に対して上部ユニット５１を回動可能に接続する回動軸５７は、利用者Ｕが立つ装置右側とは反対側の装置左側に設けられ、この回動軸５７によって上部ユニット５１を回動させて開くように構成する。上部ユニット５１が開いた状態では、ブック原稿読み取り用の第１プラテンガラス８４が露出されているため、利用者Ｕは、この上にブック原稿を置くことによりそのブック原稿の画像読み取りを実行させることができる。
【００４２】
表示装置１０には、上述のように初期画面表示設定等に利用される操作入力部１３と、表示装置１０に任意の書き込みを行うタッチペンを入れておくタッチペンホルダ１４と、表示装置１０の電源スイッチ１５とが設けられている。これらは利用者Ｕの操作性を考慮して、表示装置１０の表示画面に向かってその右端の下方に設けられている。利用者Ｕはこれらを操作し、かつスキャナ装置５０を操作できるようにするために、表示装置１０の表示画面に向かってスキャナ装置５０の右側に立つ。
【００４３】
従って、上部ユニット５１は、操作入力部１３が配置された側を開いて、その反対側に回動する構成とすることが好ましい。また同様に上部ユニット５１は、タッチペンホルダ１４が配置された側を開いて、その反対側に回動する構成とすることが好ましい。あるいは電源スイッチ１５の配置された側を開くものとしてもよい。
この場合操作入力部１３が配置された側とは、上部ユニット５１の側壁を構成する壁面のうち、表示装置の操作入力部１３に近い壁面が存在する側をさす。そして上部ユニット５１のその壁面側を上方に持ち上げて、回動軸５７の周りに上部ユニット５１を回動させると、上部ユニット５１の下面と、下部ユニット５２の上面との間が開き、上部ユニット５１の上面のプラテンガラスを露出させることができる。つまり回動軸５７は、上記の操作入力部１３に近い壁面とは反対側の壁面下部に設けられる。タッチペンホルダ１４、及び電源スイッチ１５が配置された側についても同様である。
また操作入力部１３、タッチペンホルダ１４、電源スイッチ１５等が表示画面に向かって左側に設けられている場合には、上部ユニット５１の回動軸５７をその反対の右側に設け、上部ユニットの左側を開いて回動させるようにする。
【００４４】
図９は、本発明に係る表示システムの構成例を説明するためのブロック図である。
表示装置１０は、表示手段１１と、表示手段１１の前面側に設けられたタッチパネル１２とを備えている。表示手段１１としては例えば大型のＬＣＤ（液晶ディスプレイ）が適用できる。そしてタッチパネル１２は、利用者等によるタッチ位置の座標を検出して情報処理装置４０に送る。
【００４５】
情報処理装置４０は、表示手段１１に表示させる表示画像を制御するもので、タッチパネル１２検出されたタッチ位置の座標情報に従って、表示装置１０にさまざまな情報を表示させる。例えばタッチペンを使用してタッチパネル１２上に描かれた文字などの情報を表示手段１１に表示させる処理を行う。情報処理装置４０としては、例えばＰＣ（パソコン）が用いられる。
【００４６】
プリンタ３０は、表示手段１１に表示させた表示情報を印刷出力する。ここでは、表示手段１１に表示されている画像情報を情報処理装置４０の制御によってプリンタ３０に出力することで、プリンタ３０にて表示手段１１の表示情報を印刷出力させることができる。またプリンタ３０は、情報処理装置４０に接続されたスキャナ装置５０で取り込んだ画像データの印刷出力なども行うことができる。
【００４７】
スキャナ装置５０は、原稿画像を読み取って電子化するための装置であり、原稿画像を読み取ることで得られた画像データを情報処理装置４０に出力する。スキャナ装置５０で読み取られた画像データは、情報処理装置４０の制御によって表示手段１１に表示させることができる。また上述のようにプリンタ３０から印刷出力させることもできる。
スキャナ装置５０で画像を読み取る原稿としては、枚葉のシート状の原稿であってもよく、またブック形態の原稿（ブック原稿）であってもよい。本発明に係る実施形態では、シート状の原稿の場合はスキャナ装置５０の前面側から原稿を給紙して読み取らせることができ、ブック原稿の場合はスキャナ装置５０を前方に引き出した状態で上部ユニット５１を開けることにより、ブック原稿の画像を読み取らせることができるようになっている。
【００４８】
また上記の例ではＰＣなどの情報処理装置４０によって、表示手段１１への画像表示処理やプリンタ３０への画像出力処理を行っているが、表示装置１０がこれら画像処理機能を備えた情報処理装置を内蔵するものであってもよい。またＰＣ等の情報処理装置４０との間で処理機能を分散した情報処理部を表示装置１０に備えたものであってもよい。
【００４９】
図１０は、図３に示した表示システムを側面から見た状態を示す図で、図１０（Ａ）はスキャナ装置５０とプリンタ３０とを一対の脚部２１の間に収容した状態を示し、図１０（Ｂ）はこれらスキャナ装置５０とプリンタ３０とを表示システムの前方に引き出した状態を示すものである。
【００５０】
表示装置１０の背面には情報処理装置４０が設置されている。また、台座２０の一対の脚部２１の内側にはレール２１ａが設けられ、そのレール２１ａに対してスキャナ装置５０に取り付けられたスライド部材５４が係合することで、スキャナ装置５０が脚部２１に対して引き出し自在となっている。
図１０（Ａ）の状態で一対の脚部２１の間に収納されているスキャナ装置５０は、利用者よって引き出されることで、図１０（Ｂ）に示すような状態となる。この状態では、スキャナ装置５０全体が脚部２１の前面側に引き出されているため、利用者は、スキャナ装置５０の操作を容易に行うことができる。この位置では、上記のようにブック原稿の画像読み取り処理や、ジャム時の復帰処理を行うことができる。
【００５１】
また台座２０の下部には、転倒防止脚２４が設けられていて、上記の固定ピン２６による固定を解除することにより、転倒防止脚２４を表示システムの前面側に引き出すことができる。図１０（Ａ）の状態で基台２２の間に収納されている転倒防止脚２４は、利用者によって引き出されることで、図１０（Ｂ）に示すような状態となる。転倒防止脚２４の上面に形成された載置台２３には、プリンタ３０が置かれている。従ってこの状態では、プリンタ３０全体が脚部２１の前面側に引き出されるため、利用者は、プリンタ３０で印刷出された用紙の取り出し作業や、プリンタでジャムが生じたときのジャム処理作業、あるいは現像剤カートリッジの交換作業などを容易に行うことができる。  
【００５２】
図１１は、転倒防止脚を引き出した状態でプリンタのメンテナンスを行う状態を説明するための図である。上記のように、基台２２の間に収納されている転倒防止脚２４を前面側に引き出すことにより、転倒防止脚２４の載置台２３上に置かれているプリンタ３０を引き出すことができる。この位置では、図１１に示すようにプリンタ３０のカバー３１を開けることができる。これにより用紙のジャム処理や現像剤カートリッジの交換などを行うことができる。ここでは図１１に示すように前面側にカバー３１が開くようにしておくことで、表示システムの利用者に邪魔にならずに、利用者が容易に作業を行うことができる。
【図面の簡単な説明】
【００５３】
【図１】本発明による表示システムの構成例を示す図である。
【図２】台座に備えられた転倒防止脚の機能を説明するための図である。
【図３】本発明に係る表示システムの使用形態の一例を説明するための図である。
【図４】本発明による表示システムが備えるスキャナ装置の構成例を説明するための図である。
【図５】給紙トレイの上に積載された原稿のサイズを検知するためのサイドガイドラック機構の構造を説明するための図である。
【図６】図４に示すスキャナ装置の給紙トレイを引き出した状態を示す図である。
【図７】上記図４〜図６に示すスキャナ装置を前面から見た構成を模式的に示す図である。
【図８】表示システムを上からみたときの構成を模式的に示す図である。
【図９】本発明に係る表示システムの構成例を説明するためのブロック図である。
【図１０】図３に示した表示システムを側面から見た状態を示す図である。
【図１１】転倒防止脚を引き出した状態でプリンタのメンテナンスを行う状態を説明するための図である。
【符号の説明】
【００５４】
１０…表示装置、１１…表示手段、１２…タッチパネル、１３…操作入力部、１４…タッチペンホルダ、１５…電源スイッチ、２０…台座、２１…脚部、２１ａ…レール、２２…基台、２３…載置台、２４…転倒防止脚、２４ａ…解除レバー、２５…固定用留め板、２６…固定ピン、２７…固定用穴、３０…プリンタ、３１…カバー、４０…情報処理装置、５０…スキャナ装置、５１…上部ユニット、５２…下部ユニット、５３…前面扉、５４…スライド部材、５５…挿入口、５６…排出口、５７…回動軸、６１…給紙トレイ、６１ａ，６１ｂ…補助トレイ、６２…サイズガイドラック機構、６３…スロットガイド、６４…サイズガイド、６５…ラック、６６…ピニオン、６７…センサ、６８…凹部、６９…操作部材、７１…給紙ローラ、７２…フィードロール、７３…圧接ローラ、７４…排紙ローラ、７５…排紙トレイ、８１…走査ユニット、８１ａ…露光ランプ、８１ｂ…ミラー、８２…結像用レンズ、８３…ＣＣＤイメージセンサ、８４…第１プラテンガラス、８５…第２プラテンガラス。
【図１】
0004416810.tif 000002
【図２】
0004416810.tif 000003
【図３】
0004416810.tif 000004
【図４】
0004416810.tif 000005
【図５】
0004416810.tif 000006
【図６】
0004416810.tif 000007
【図７】
0004416810.tif 000008
【図８】
0004416810.tif 000009
【図９】
0004416810.tif 000010
【図１０】
0004416810.tif 000011
【図１１】
0004416810.tif 000012